(57)【特許請求の範囲】
【請求項１】
筐体内に収納された転写媒体を塗布した基材を該筐体外に送り出すと共に、該転写媒体を基材から剥離して被転写体に転写するための転写部を備えた転写具において、前記転写部は、軸芯が中空とされたローラ部材と、このローラ部材に挿入される挿入部及び前記筐体に取り付けられる取付部を有した対をなすローラ支持部材を備え、互いのローラ支持部材の挿入部がローラ部材の軸方向両端から挿入され、さらに、筐体におけるローラ支持部材の取付部の外側に拡幅防止板を設けたことを特徴とする転写具。
【請求項２】
挿入部のローラ部材を挟んだ箇所に、該ローラ部材の移動を規制する規制部材を設けたことを特徴とする請求項１記載の転写具。
【請求項３】
ローラ部材の内部に、挿入部の互いの端部が重なることを許容する空間を形成していることを特徴とする請求項１又は２記載の転写具。
【発明の詳細な説明】
【技術分野】
【０００１】
本発明は、片当たりを確実に防止すると共に安定した使用感を得ることができる転写具に関する。
【背景技術】
【０００２】
近年、例えば液状の修正液や液状の糊に代って、適量を容易に使用できる使い易さなどといった利点から、転写媒体を紙などの被転写体に転写する転写具が普及している。修正用の白色の転写媒体は、被転写体に転写媒体を転写して修正個所を修正する。また、被転写体と貼着体とを貼着する粘着性を有する転写媒体は、被転写体に転写した転写媒体に貼着体が貼着される。
【０００３】
上記した転写具は、粘着性を呈した転写媒体、白色の転写媒体、が異なる他は両者ともにほぼ同様であり、例えば次の構成となっている。転写具は、送出軸部、巻取軸部、及び転写部を備えている。送出軸部は、筐体内に設けられ、転写媒体が塗布された長尺帯状の基材をその回転により送り出す。巻取軸部は、筐体内に設けられ、被転写体に転写媒体を転写した後の基材をその回転により巻き取る。
【０００４】
転写部は、筐体の一端部に形成した開口から先端部が露出した状態で設けられている。転写部は、転写媒体を塗布した基材を送出軸部から送り出し、被転写体に転写媒体を転写し、その後、該基材を巻取軸部へ送る。
【０００５】
上記構成の転写具は、筐体を持った状態で転写部を被転写体に押しつけて移動させるが、このとき転写部の全面が被転写体に接していれば、転写媒体の幅全域を該被転写体に転写できる。しかし、転写部の全面が被転写体に接していないと、転写部の偏った部位のみが被転写体に接触（以下、この状態を「片当たり」という）し、この結果、転写媒体の幅全域を該被転写体に転写できないといった転写不良が生じる。
【０００６】
片当たりによる転写不良は、具体的には次の不具合を生じる。例えば被転写体においては、転写媒体が密着して転写されずに浮き上がったりして不完全な転写となったり、予定している幅に転写媒体が転写されないということになる。転写具においては、転写媒体が基材に残留して次回の使用開始箇所で正しく転写ができなくなる可能性がある。
【０００７】
上記した片当たりを解消する構成を有した転写具について、以下の特許文献１〜３が存在する。
【特許文献１】特開平８−１７５０９５号公報
【特許文献２】特開平８−２９０６９９号公報
【特許文献３】国際公開第ＷＯ２０００−２１７６１号パンフレット
【０００８】
上記特許文献１は、舌状とされた転写部の先端部を除く部位が軸状とされ、この軸状部位が筐体内で周方向に回動可能に枢支された構成の転写具が示されている。特許文献１は、転写部の先端部の幅方向中央を中心として、筐体に力をかけた方向に回転することで、片当たりを防止するようにしている。
【０００９】
上記特許文献２は、ローラ状とされた転写部の枢支軸の中央部に揺動体（例えば、球体）が設けられ、この揺動体を受ける受部が転写部の内部における幅方向中央部に形成された転写具が示されている。特許文献２は、転写部を回転可能に枢支する枢支軸における揺動体を中心として、筐体に力をかけた方向に揺動することで、片当たりを防止するようにしている。
【００１０】
上記特許文献３は、転写部が矩形状（例えば凹字状）の金属線材により形成された転写具が示されている。特許文献３は、筐体に力をかけた方向に矩形状の金属線材が歪むことで、片当たりを防止するようにしている。
【発明の開示】
【発明が解決しようとする課題】
【００１１】
しかしながら、上記した特許文献１〜３では次の問題点がある。
特許文献１は、転写部がその幅方向中央を中心に回転するように枢支されているから、筐体の力のかかり具合に応じて敏感に相対回転する。この相対回転とは、すなわち転写部が回転するのではなく、筐体側が回転してしまうことを意味する。その理由は、転写部は被転写体に接触しているから、前記回転に対しては固定状態となるからである。
【００１２】
よって、特許文献１は、片当たりが生じるほどの偏った力が筐体に加わると、実際には筐体側が過大に（力がかかった側に如実に）相対回転し、直線状に転写媒体を転写しにくく、また、意図する方向に転写媒体を転写しにくいといった問題がある。
【００１３】
特許文献２は、転写部が揺動体を有した枢支軸により枢支されているため不安定であることから、上記特許文献１と同様に、片当たりが生じるほどの偏った力が筐体に加わると、筐体側が過大に（力がかかった側に如実に）相対揺動し、直線状に転写媒体を転写しにくく、また、意図する方向に転写媒体を転写しにくいといった問題がある。
【００１４】
特許文献３は、特許文献１及び２と較べて構成上、積極的に回転又は揺動させる構成ではなく、力がかかったときにその力に応じて転写部を歪ませるようにしている点で、安定した操作が可能である。
【００１５】
しかし、ある程度の歪みは許容できるとしても、金属線材が凹字状で一体とされていたために、捻れ方向の大きな力がかかった際には、凹字状の両端部の取り付け位置へその力が集中し、歪みに起因して金属線材の取付が外れたり取付部位が損傷する可能性がある。
【００１６】
また、金属線材の取付が外れたり取付部位の損傷を免れようとして該金属線材の強度を高くして歪みにくくすると、結果的に、本願の前提条件と同様に筐体に偏った力が働けば歪むことなく転写部も傾くことになるので、片当たりが発生する。
【００１７】
本発明が解決しようとする問題点は、片当たりを防止するために転写部を回転させたり揺動させたりすると安定した操作性に欠けるという点、及び金属線材により凹字状に転写部を構成すると捻れ方向に大きな力がかかった場合に該金属線材が損傷したり該金属線材の取り付けが外れたりする可能性があるという点、を解消することにある。
【課題を解決するための手段】
【００１８】
上記問題点を解決するために、本発明の転写具は、軸芯が中空とされたローラ部材に挿入される挿入部及び筐体に取り付けられる取付部を有した対をなすローラ支持部材を備え、互いのローラ支持部材の挿入部をローラ部材の軸方向両端から挿入した転写部を備えたのである。
【００１９】
上記構成において本発明の転写具は、ローラ支持部材の取付部の外側に、拡幅防止板を設けることを最大の特徴としており、この構成にさらに、挿入部のローラ部材を挟んだ箇所に、該ローラ部材の移動を規制する規制部材を設けたり、ローラ部材の内部に、不連続状態とされた挿入部の互いの端部が重なることを許容する空間を形成したものとしてもよい。
【発明の効果】
【００２０】
本発明に係る転写具は、対をなすローラ支持部材の挿入部がローラ部材の軸方向両端から挿入されて該ローラ部材を各々独立して枢支しているから、ローラ支持部材が互いに独立して歪むことになる。したがって、筐体に偏ってかかる力が各々のローラ支持部材の歪みにより分散されるから、一方のローラ支持部材が歪みに起因して他方のローラ支持部材まで直接的にその歪みがおよぶことがないので、筐体に対する取付が外れたり、取付部位が損傷したりすることがない。
【００２１】
また、互いに独立した挿入部をローラ部材が架け渡しているので、ローラ支持部材の各々が独立して歪むと、その歪みに起因して該ローラ部材が傾き、このローラ部材が傾くことで片当たりが防止される。
【００２２】
また、本発明に係る転写具は、上記構成に、ローラ支持部材の取付部の外側に、拡幅防止板を設けているので、挿入部がローラ部材から抜けてしまうことが防止される。
【００２３】
また、本発明に係る転写具は、上記構成に、挿入部のローラ部材を挟んだ箇所に該ローラ部材の移動を規制する規制部材を設けることで、下記の効果が得られる。ローラ部材が挿入部の基材の裏面と接触しない位置へ移動することを防止できる。基材幅方向のローラ部材の移動を規制することにより、より確実に狙った箇所に転写媒体を転写させることができる。直線操作性を向上させることができる。
【００２４】
また、本発明に係る転写具は、上記構成に、ローラ部材の内部に、不連続状態とされた挿入部の互いの端部が重なることを許容する空間を形成することで、ローラ支持部材の大きな歪みもローラ部材の内部で許容することができるようになり、この結果、意図的に大きく蛇行させて転写媒体を転写するときなどの操作が行いやすくなる。
【発明を実施するための最良の形態】
【００２５】
本発明は、以下の形態において実施可能である。なお、転写具の全体構成については、図示しないが、例えば、被転写媒体に転写される（修正用の白色の又は、被転写体と貼着体とを貼着する粘着性の）転写媒体が塗布された基材、この基材を巻装した送出軸部、送出軸部から送り出され、被転写体に転写媒体が転写された後の基材を巻き取る巻取軸部と、これらを内装する筐体とを備えた構成としている。
【００２６】
本発明の転写具は、上記のような構成とされた転写具において、送出軸部から巻取軸部に至る基材の搬送経路上に筐体から露出した状態で設けられた図１に示すように転写部１に特徴を有している。
【００２７】
（基本構成）
図１〜図３に示す転写部１は、以下の実施例の基本とされ、次の構成とされる。２は、断面円形とされ、例えば金属、ＰＯＭ、ＡＢＳなど、ある程度の強度があると共に弾力（しなり）を有する材料でなるローラ支持部材である。歪み強度、弾力などを総合的に考慮すると、ローラ支持部材２の材料としては金属が望ましい。
【００２８】
このローラ支持部材２は、本例では、例えばＬ字状とされ、このＬ字状の垂直辺が筐体に取付られる側となる取付部２Ａとされ、水平辺が後述のローラ部材３に挿入される挿入部２Ｂとされる。
【００２９】
挿入部２Ｂは、図７に示すように、互いの突き合わせ端面が半球形（図７（ａ））、円錐形（図７（ｂ））、いずれでもよい。なお、このようにしておけば、挿入部２Ｂがローラ部材３の内周部に接触したとしても該ローラ部材３の回転を妨げる可能性が低くなり、操作感が安定する。
【００３０】
３は、挿入部２Ｂが挿入されて枢支されるローラ部材である。このローラ部材３は、図２に示すように、挿入部２Ｂが挿入される部位に樹脂もしくは金属の筒状体３Ａを設け、この筒状体３Ａの外周に従来用いられている樹脂又はエラストマなどの弾性体を設けたものでもよいし、前記樹脂もしくは金属の筒状体３Ａのみ、あるいは図３に示すように上記弾性体の筒状のもので構成しても構わない。
【００３１】
特に、ローラ部材３は、図２の態様が望ましい。その理由は、以下の通りである。本発明の構成による作用効果は後に詳述するが、概略的には、一方の挿入部２Ｂに受けた力を他方の挿入部２Ｂに直接伝えるのではなく、ローラ部材３を介して伝達し、該一方の挿入部２Ｂの歪みに追従してローラ部材３が傾くことで、一方の挿入部２Ｂで受けた力を吸収するというものである。
【００３２】
このときに、ローラ部材３に適度な硬度を有することで、ローラ部材３が歪むことがなく、他方の挿入部２Ｂへ力をスムーズに伝達できるからである。また、実際に被転写体に接する部分は弾性体とした方が、被転写体と基材に塗布された転写媒体との密着性が向上し、操作性が向上するからである。
【００３３】
転写部１は、対をなすローラ支持部材２の各々の取付部２Ａを筐体に取り付け、挿入部２Ｂのそれぞれをローラ部材３の軸方向両端から各々挿入した構成となる。また、転写部１は、挿入部２Ｂは、ローラ部材３内の同軸上において所定の間隔を有した状態となるように挿入されている。
【００３４】
ここで、本発明では、転写部１の構造としてローラ構造を採択した理由を説明する。舌状の転写部構造は、転写媒体の転写時に該転写媒体を引っ掻く可能性が高く、また、転写媒体を重ねて転写するような場合に、下層の転写媒体を剥がしてしまう可能性がある。
【００３５】
さらに、舌状の転写部構造は、被転写体における転写媒体の転写方向に対して横すべりが生じやすく、また、被転写体に押しつけつつ移動させて使用する転写具の操作上、舌状の転写部構造では被転写体との間に大きな摩擦力が生じて、操作しにくい問題もある。
【００３６】
したがって、本発明では、転写部１の構造としてローラ構造を採択し、ローラ部材３を設けているのである。ローラ部材３であれば、まず、転写具を被転写体に押しつけつつ移動させた際には、ローラ部材３自体が転写媒体を被転写体へ押しつけつつ転がるから操作感は快適である。
【００３７】
また、ローラ部材３であれば、ローラ部材３が転がる（回転する）から、転写媒体を引っ掻いたり、転写媒体を重ねて転写した場合には下層の転写媒体を剥がす虞も低減する。さらに、ローラ部材３が転がることで、操作方向の安定性が図れる（横ずれしにくい）というメリットもある。以上の理由から、本発明では、転写部１の構造にはローラ部材３を採択したのである。
【００３８】
上記構成の転写部１は、例えば筐体の左右（挿入部２Ｂ，２Ｂのいずれか一方）に偏った力を加えたとき、ローラ支持部材２は、互いに独立して歪む。つまり、一方の挿入部２Ｂにかかった力を、直接他方の挿入部２Ｂを介して他方の取付部２Ａへ伝達しない。つまり、他方のローラ支持部材２は、一方に加えられた力に起因して歪むのではなく、ローラ部材３を介した状態で歪むことになる。
【００３９】
その結果、ローラ部材３は、一方から他方のローラ支持部材２へと力を伝達する際、一方のローラ支持部材２の歪みに応じて傾いて、片当たりすることなく被転写体にその全面が（基材を介して）接触するのである。
【００４０】
つまりローラ部材３が傾くことは、一方の歪みを他方のローラ支持部材２へと伝達していることを意味している。仮に、このとき、挿入部２Ｂ，２Ｂが連続した一体の状態であると、偏った力で一方の歪みに起因する力が他方に直接伝達され、力を逃がす部分が存在しないので、力が直接かかっていない側に無理な歪みが生じる。この無理な歪みが、破損を招くのである。
【００４１】
したがって、本発明の転写具における転写部１は、筐体にかかった偏った力を力のかかった一方側のローラ支持部材２で受けて歪み、他方側へはローラ部材３がそれに倣って傾いた際の動きに追従する歪みで済むから、つまり一方側にかかった力を該一方側で吸収して歪むことで逃がしているから、他方側ひいてはローラ支持部材２全体に無理な歪みが生じない。
【００４２】
（第１実施例）
第１実施例の転写部１は、図４に示すように、上記基本構成において、筐体にローラ支持部材２の取付部２Ａの外側に、拡幅防止板４を設けている。この拡幅防止板４は、特別に設けてもよいが、筐体における転写部１の露出口の壁面によって兼ねることもできる。
【００４３】
本発明の転写具における転写部１は、従来では得られないほど柔軟に大きく歪ませることができるから、安定した直線操作も含め意図する蛇行操作などが自在に行えるようになるが、取付部２Ａ，２Ａ間の間隔のみについては拡幅防止板４により規制される（捻れ方向など歪みそのものを規制しない）から、過度な力を加えても挿入部２Ｂがローラ部材３から外れることがなく、安定した使用感を得ることができる。
【００４４】
（第２実施例）
第２実施例の転写部１は、図５に示すように、上記基本構成において、挿入部２Ｂ，２Ｂのローラ部材３を挟んだ箇所に、該ローラ部材３の移動を規制する規制部材５を設けている。規制部材５は、ローラ部材３の幅より若干の余裕を持たせて挿入部２Ｂに対して固定的に設けている。規制部材５は、形状は円形でも矩形でも突状でもよく、要するに、ローラ部材３が挿入部２Ｂ，２Ｂ方向に自由に移動することを規制できればよい。
【００４５】
このように、挿入部２Ｂ，２Ｂに規制部材５，５を設けることで、ローラ支持部材２が歪んだ際にもローラ部材３の回転を妨げることなく、かつローラ部材３の幅方向の移動を規制することで直線操作性を向上させることができる。
【００４６】
（第３実施例）
第３実施例の転写部１は、図６（ａ）（ｂ）に示すように、上記基本構成において、ローラ部材３の内部に、不連続状態とされた挿入部２Ｂ，２Ｂの互いの端部が重なることを許容する空間Ｐを形成している。
【００４７】
本例では、図６（ｂ）に示すように、図２に示した筒状体３Ａにおける挿入部２Ｂの挿入口は、上記基本構成と同じ径とされ、内部に大径とされた空間Ｐを形成する。その理由は、ローラ部材３における挿入部２Ｂの挿入口まで大径とすると、挿入部２Ｂが該ローラ部材３から抜けてしまう可能性があり、かつ挿入部２Ｂ，２Ｂが偏心してローラ部材３の安定した回転を阻害する可能性がある。
【００４８】
空間Ｐは、例えば挿入部２Ｂがさらにローラ部材３の内部に挿入するような方向に一方のローラ支持部材２が歪んだときに、この歪みを、該空間Ｐでもって他方の挿入部２Ｂに対して一方の挿入部２Ｂが重ならせて許容するのである。こうすることで、より一層の大きな偏った力がかかった場合にも適正に対応させることができるようになる。
【実施例】
【００４９】
以下、本発明に係る転写具の効果を確認するために行った実験について説明する。
本発明に係る転写具の上記基本構成例及び第１〜第３実施例における転写部１を構成に備えた転写具（実施例１〜４）と、特許文献１〜３の構成を備えた転写具（比較例１〜３）について次の実験を行った。なお、実施例１〜４、比較例１〜３は、転写媒体及び基材の条件は全て同一とした。
【００５０】
（実験１）：２０ｃｍの直線操作を行う際、最初の５ｃｍと最後の５ｃｍだけ操作方向の右側（直線進行の右側）に筐体を傾けて０．８ｋｇの偏った力を加えた。
（実験２）：半径５ｃｍの円状に描かれた線の上に転写した。
（実験３）：半径７ｃｍの（大径）Ｓ字、５ｃｍの直線、半径３ｃｍの（小径）Ｓ字、の順に描かれた線の上に転写した。
【００５１】
（実験１）
実施例１〜４は、片当たりによる部分的な転写不良（転写媒体が被転写体に転写されない状態）が発生せず、かつ直線状に転写媒体を転写することが容易にできた。
比較例１，２は、片当たりによる部分的な転写不良は発生しなかったものの、偏った力を加えた後に左右均等に力をかけたときに安定性に欠け、直線状に転写することが困難であった。
比較例３は、直線状に操作はできたが、片当たりに起因する転写不良が発生した。
【００５２】
（実験２）
実施例１〜４は、片当たりによる部分的な転写不良が発生せず、かつ描かれた円形の線の通りに転写することが容易にできた。
比較例１，２は、片当たりによる部分的な転写不良は発生しなかったものの、曲線操作を行う際の力の加え方が難しく、不安定であったため描かれた円形の線の通りに転写することが困難であった。
比較例３は、円形の線の通りに転写することはできたが、片当たりに起因する転写不良が発生した。
【００５３】
（実験３）
実験３に関しては、実施例１〜４は比較例１〜３よりは全体的な評価としては良かったが、実施例１〜４だけで比較評価すると個々の結果にばらつきがみられた。
【００５４】
実施例１は、転写不良は発生しなかったが、小径のＳ字部分では若干ローラ部材３の回転が重たく感じるとともに、挿入部２Ｂが外れそうになった。
実施例２は、転写不良は発生せず、また、実施例１のように小径のＳ字部分で挿入部２Ｂが外れそうになることはなかったが、小径のＳ字部分で若干ローラ部材３の回転が重たく感じた。
【００５５】
実施例３は、転写不良は発生しなかったが、小径のＳ字部分では若干ローラ部材３の回転が重たく感じるとともに、挿入部２Ｂが外れそうになった。しかし、直線操作時には他の実施例及び比較例に較べて抜群に安定していた。
実施例４は、転写不良は発生せず、また、小径のＳ字部分では若干ローラ部材３の回転が重たく感じることもなく、使用感は安定していた。
【００５６】
比較例１，２は、大径及び小径のＳ字部分でも片当たりに起因する転写不良は発生しなかったが、意図する方向に転写することができず著しく困難で、何度も描かれた線の上から脱線したりして、操作を中断しなければならなかった。
比較例３は、特に小径のＳ字部分で、片当たりに起因する転写不良が生じた。
【００５７】
以上のことから、本発明の転写具は、直線状に転写させる際には安定した操作感を得ることができ、かつ筐体に偏った力がかかった際には片当たりを防止することができ、また、安定操作により意図する方向に自在に転写させることができると共にそのように方向転換した際に片当たりを防止することができた。
【００５８】
上記では、図１〜図５に示したローラ部材３は、説明上、理解しやすくするために図示において径を大きくしているが、ローラ支持部材２の断面径に対して約１．３〜４．０倍程度の径にすることにより、転写しようとする箇所を目視しやすくなり、意図する場所に確実に転写することができるようになる。
【図面の簡単な説明】
【００５９】
【図１】本発明の転写具における転写部の基本構成を示す斜視図である。
【図２】本発明の転写具における転写部の基本構成を示す断面図である。
【図３】本発明の転写具における転写部の基本構成における他の構成を示す断面図である。
【図４】本発明の転写具における転写部の第１実施例構成を示す断面図である。
【図５】本発明の転写具における転写部の第２実施例構成を示す断面図である。
【図６】（ａ）本発明の転写具における転写部の第３実施例構成を示す断面図であり、（ｂ）は筒状体のみの破断斜視図である。
【図７】（ａ）（ｂ）は、本発明の転写具における転写部の挿入部の端部形状を示す図である。
【符号の説明】
【００６０】
１  転写部
２  ローラ支持部材
２Ａ  取付部
２Ｂ  挿入部
３  ローラ部材
４  拡幅防止板
５  規制部材
Ｐ  空間
【図１】
0004780453.tif 000002
【図２】
0004780453.tif 000003
【図３】
0004780453.tif 000004
【図４】
0004780453.tif 000005
【図５】
0004780453.tif 000006
【図６】
0004780453.tif 000007
【図７】
0004780453.tif 000008